(57)【要約】【課題】本考案は、納骨室内の環境を改善すると共に清潔で浄化作用のある墓石の提供を目的とするものである。【解決手段】本考案に係る墓石１０は、納骨室２０の天井２１から上方に納骨室２０を貫通する貫通孔２２を設け、該貫通孔２２に翡翠３０を収納して構成したものである。【選択図】 図１
0003161458.tif 000002
【実用新案登録請求の範囲】
【請求項１】
納骨室の天井から上方に納骨室を貫通する貫通孔を設け、該貫通孔に翡翠を収納したことを特徴とする墓石。
【請求項２】
貫通孔の上端に翡翠収納用の収容部を設けたことを特徴とする請求項１に記載の墓石。
【請求項３】
貫通孔が竿石の下端にまで達していることを特徴とする請求項１又は２に記載の墓石。
【請求項４】
貫通孔が竿石の上端にまで達していることを特徴とする請求項１又は２に記載の墓石。
【考案の詳細な説明】
【技術分野】
【０００１】
本考案は、墓石に関する。
【背景技術】
【０００２】
墓石は、通常、角石を積み重ねて構成される。墓石を構成する角石には、下から芝台石（土台石、要台石ともいう。）、下台石（中台石、箱石ともいう。）、上台石および竿石（はつ台石、仏石ともいう。）があり、上台石と竿石との間に蓮花台を入れたり、竿石の上に屋根型の笠石を載置する場合もある。そして、下台石から芝台石にかけて納骨室が設けられる。なお、納骨室の位置は、このように下台石から芝台石にかけて地上に設ける場合もあるが、これに限られるものではなく、芝台石の下方の地下に設ける場合とがある。
【０００３】
ところで、従来より、下記特許文献１に示されるような雨水対策の工夫がなされており、また、下記特許文献２に示されるような納骨室内の湿度を押さえて結露を防ぐ工夫がなされていた。
【先行技術文献】
【特許文献】
【０００４】
【特許文献１】特開２００８−２９７７６７号公報
【特許文献２】特開２００９−８４９１６号公報
【考案の概要】
【考案が解決しようとする課題】
【０００５】
しかしながら、上記いずれの特許文献においても、納骨室内の環境を改善するためには不十分なものであった。
【０００６】
そこで、本考案者は、鋭意研究を重ね、納骨室内の環境を改善すると共に清潔で浄化作用のある墓石を開発した。
【課題を解決するための手段】
【０００７】
本考案に係る墓石は、納骨室の天井から上方に納骨室を貫通する貫通孔を設け、該貫通孔に翡翠を収納したことを特徴とするものである。また、貫通孔の上端に翡翠収納用の収容部を設けたものである。前記貫通孔は、竿石の下端にまで達するように構成してもよく、貫通孔が竿石の上端にまで達するように構成してもよい。
【０００８】
上記のように構成することにより、納骨室は前記貫通孔及び墓石を構成する各角石間の隙間を通じて外気と接することとなり、納骨室内は外気の温度及び湿度と調和がとれるため、外気に比べて納骨室内の温度が上昇及び下降しすぎることがなく、また、納骨室内の湿度が上昇及び下降しすぎることがない。したがって、納骨室内と外気との温度差及び湿度差による影響が生じないので、密閉されていることに起因して生じていた納骨室内の環境が改善でき、かつ、清潔さを維持できる。また、翡翠は、その主成分として、ケイ素、酸素、アルミニウム、ナトリウム、マグネシウム、カルシウム、鉄、チタンが含まれているため浄化作用があり、また、神秘の力を持つ石、墓の副葬品として魂を沈める石あるいは現世と霊界をつなぐ石といわれ、お墓参りをする人の精神的な浄化作用にも寄与する。
【考案の効果】
【０００９】
以上のように本考案に係る墓石は、上記の構成よりなるので、納骨室内の環境が改善できて清潔さを維持できると共に翡翠による物理及び化学的浄化作用及び精神的浄化作用を果たす効果がある。
【図面の簡単な説明】
【００１０】
【図１】本考案の実施例１を示し、（ａ）は墓石の正面図、（ｂ）は墓石の右側面図、（ｃ）は墓石のＡ−Ａ断面図である。
【図２】本考案の実施例１における翡翠収容部の内部構造を示す拡大斜視図である。
【図３】本考案の実施例２を示し、（ａ）は墓石の正面図、（ｂ）は墓石の左側面図、（ｃ）は墓石のＢ−Ｂ断面図である。
【考案を実施するための形態】
【００１１】
以下に本考案の好適な実施例１を図１（ａ）（ｂ）（ｃ）及び図２に基いて、また実施例２を図３（ａ）（ｂ）（ｃ）及び図２に基づいて詳細に説明する。
【実施例１】
【００１２】
図１（ａ）〜図１（ｃ）において、１０は墓石であって、墓石１０は、芝台石１１、下台石１２、上台石１３、蓮花台１４及び竿石１５を順に積み上げて構成され、下台石１２と芝台石１１との空間部に納骨室２０が設けられている。
【００１３】
また、本実施例に係る墓石１０は、納骨室２０の天井２１から上方に、納骨室２０を貫通し、竿石１５の下端、すなわち蓮花台１４の上端に達する貫通孔２２が設けられている。そして、貫通孔２２の上端には、図２に示すように翡翠収納用の立方体空間よりなる収容部２３が設けられ、該収容部２３に翡翠３０が収納されている。
【００１４】
上記のように構成することにより、たとえ隙間が生じないように墓石１０が積み上げられていたとしても、納骨室２０は、前記貫通孔２２及び、僅かながらでも墓石１０を構成する下台石１２と上台石１３との間の隙間、上台石１３と蓮花台１４との間の隙間及び蓮花台１４と竿石１５との間の隙間を通じて、外気と接することとなる。したがって、納骨室２０内は外気の温度及び湿度と調和がとれるため、外気に比べて納骨室２０内の温度が上昇及び下降しすぎることがなく、また、納骨室内の湿度が上昇及び下降しすぎることがない。そのため、納骨室内が低温多湿となることにより結露したり、高温多湿となることによりカビや雑菌が発生するおそれがなく、冬場はカラッとした低温乾燥状態になるので、納骨室内は空気の淀みのない環境を作り出すことができ、清潔さを維持することができる。また、翡翠３０には、その主成分として、ケイ素、酸素、アルミニウム、ナトリウム、マグネシウム、カルシウム、鉄、チタンが含まれているため浄化作用があり、また、神秘の力を持つ石、墓の副葬品として魂を沈める石、現世と霊界をつなぐ石といわれ、お墓参りをする人の精神的な浄化作用にも寄与する。
【実施例２】
【００１５】
図３（ａ）〜図３（ｃ）において、１１０は墓石であって、墓石１１０は、芝台石１１１、下台石１１２、上台石１１３、蓮花台１１４、竿石１１５及び笠石１１６を順に積み上げて構成され、下台石１１２と芝台石１１１との空間部に納骨室１２０が設けられている。
【００１６】
また、本実施例に係る墓石１１０は、納骨室１２０の天井１２１から上方に、納骨室１２０を貫通し、笠石１１６の下端、すなわち竿石１１５の上端に達する貫通孔１２２が設けられている。そして、貫通孔１２２の上端には、図２に示すように翡翠収納用の立方体空間よりなる収容部１２３が設けられ、該収容部１２３に翡翠１３０が収納されている。
【００１７】
上記のように構成することにより、たとえ隙間が生じないように墓石１１０が積み上げられていたとしても、納骨室１２０は、前記貫通孔１２２及び、僅かながらでも墓石１１０を構成する下台石１１２と上台石１１３との間の隙間、上台石１１３と蓮花台１１４との間の隙間、蓮花台１１４と竿石１１５との間の隙間及び竿石１１５と笠石１１６との間の隙間を通じて、外気と接することとなる。したがって、納骨室１２０内は外気の温度及び湿度と調和がとれるため、外気に比べて納骨室１２０内の温度が上昇及び下降しすぎることがなく、また、納骨室内の湿度が上昇及び下降しすぎることがない。そのため、納骨室内が低温多湿となることにより結露したり、高温多湿となることによりカビや雑菌が発生するおそれがなく、冬場はカラッとした低温乾燥状態になるので、納骨室内は空気の淀みのない環境を作り出すことができ、清潔さを維持することができる。また、翡翠１３０には、その主成分として、ケイ素、酸素、アルミニウム、ナトリウム、マグネシウム、カルシウム、鉄、チタンが含まれているため浄化作用があり、また、神秘の力を持つ石、墓の副葬品として魂を沈める石、現世と霊界をつなぐ石といわれ、お墓参りをする人の精神的な浄化作用にも寄与する。
【符号の説明】
【００１８】
１０・・・墓石              １１・・・芝台石
１２・・・下台石            １３・・・上台石
１４・・・蓮花台            １５・・・竿石
２０・・・納骨室            ２１・・・納骨室の天井
２２・・・貫通孔            ２３・・・翡翠の収容部
３０・・・翡翠
１１０・・墓石              １１１・・芝台石
１１２・・下台石            １１３・・上台石
１１４・・蓮花台            １１５・・竿石
１１６・・笠石              １２０・・納骨室
１２１・・納骨室の天井      １２２・・貫通孔
１２３・・翡翠の収容部      １３０・・翡翠
【図１】
0003161458.tif 000003
【図２】
0003161458.tif 000004
【図３】
0003161458.tif 000005